(57)【要約】【課題】多数の連結部材とエンドキャップにより多数本の合成樹脂製パイプを繋ぐ必要なく、組み立て簡単な合成樹脂製のグレーチングを安価に提供する。【解決手段】複数本の互いに平行な断面形状ほぼ逆Ｙ型で上端に水平部２を備えるメインバー部３が等間隔おきに連結部４によって繋がるように合成樹脂を材料に用いて作られた複数のブロック１と、この隣り合うブロック１，１間を繋ぐジョイント部材１０とからなり、互いに連結される一方のブロック１の端部のメインバー部３と他方のブロック１の端部のメインバー部３とを近接させ、このメインバー部３，３間における長さ方向適所間にジョイント１０部材を位置させ、ジョイント部材１０の差し込み部１２をメインバー部３の下端より形成した溝部６より差し込むことにより差し込み部１２の爪部１１がメインバー部３の溝部６の係止部７の上側に係止してブロック１，１間を繋ぐようにした。【選択図】    図７
2006322210.tif 000002
【特許請求の範囲】
【請求項１】
複数本の互いに平行な断面形状ほぼ逆Ｙ型で上端に水平部を備えるメインバー部が等間隔おきに連結部によって繋がるように合成樹脂を材料に用いて作られた複数のブロックと、この隣り合うブロック間を繋ぐジョイント部材とからなり、前記各メインバー部の下端の幅方向中央にはメインバー部の長さ方向全長に亘って溝部が形成され、この溝部は逆Ｙの下半分の逆Ｖの位置に形成され、断面形状において下端に両側で内側に水平に張り出す係止部と、この係止部の上側で係止部間の間隔よりも大きな幅を持つ空間部と、この空間部の上端に形成された小さな凹部とを備え、前記ジョイント部材は正面形状が凵状を呈し、両側の立ち上がり部の上下方向中間部より上側に上端窄まり状で下端に前記溝部の係止部の上側に係止する爪部が形成された差し込み部を備え、この差し込み部の上端に前記溝部の上端の凹部に嵌入する凸部が形成されており、互いに連結される一方のブロックの端部のメインバー部と他方のブロックの端部のメインバー部とを近接させ、このメインバー部間における長さ方向適所間にジョイント部材を位置させ、ジョイント部材の差し込み部を前記溝部より空間部に差し込むことにより差し込み部の爪部がメインバー部の溝部の係止部の上側に係止してブロック間を繋ぐようにしたことを特徴とするグレーチング。
【発明の詳細な説明】
【技術分野】
【０００１】
本発明は、例えばプールサイドの排水溝や浴室内の排水溝などに好適なグレーチングに関するものである。
【背景技術】
【０００２】
従来からプールサイドの排水溝や浴室内の排水溝などに使用される合成樹脂製のグレーチングが例えば特許文献１において知られている。この特許文献１に開示されている合成樹脂製のグレーチングは、端部が開口する合成樹脂製パイプを多数並設し、かつ開口端にエンドキャップを固着すると共に、連結部材により各端部を連結することにより構成されるものであって、前記連結部材は、両端部に夫々挿入孔が形成された断面クランク状をなし、隣接するパイプの開口端間に差し渡されて、該開口端位置で挿入孔を一致させて相互に重なり合うように配設され、かつ該挿入孔に前記エンドキャップに形成した連結突起を貫入するようにしたものである。
【特許文献１】特開平１１−２８６９８８号公報
【発明の開示】
【発明が解決しようとする課題】
【０００３】
上記した特許文献１のグレーチングの構成では、多数本の合成樹脂製パイプを並べた状態で断面クランク状の連結部材を隣接するパイプの開口端間に差し渡し、連結部材の挿入孔よりエンドキャップの連結突起を貫入させることにより組み立てられるものであるが、多数本の合成樹脂製パイプを繋ぐのに多数の連結部材とエンドキャップを必要とし、部品点数が多くなるとともに組み立て工数も多くなり、コスト高になるという問題があった。
【０００４】
本発明の目的は、このような課題を解決するものであり、多数の連結部材とエンドキャップにより多数本の合成樹脂製パイプを繋ぐ必要なく、組み立て簡単な合成樹脂製のグレーチングを安価に提供することにある。
【課題を解決するための手段】
【０００５】
本発明の請求項１に記載のグレーチングは、複数本の互いに平行な断面形状ほぼ逆Ｙ型で上端に水平部を備えるメインバー部が等間隔おきに連結部によって繋がるように合成樹脂を材料に用いて作られた複数のブロックと、この隣り合うブロック間を繋ぐジョイント部材とからなり、前記各メインバー部の下端の幅方向中央にはメインバー部の長さ方向全長に亘って溝部が形成され、この溝部は逆Ｙの下半分の逆Ｖの位置に形成され、断面形状において下端に両側で内側に水平に張り出す係止部と、この係止部の上側で係止部間の間隔よりも大きな幅を持つ空間部と、この空間部の上端に形成された小さな凹部とを備え、前記ジョイント部材は正面形状が凵状を呈し、両側の立ち上がり部の上下方向中間部より上側に上端窄まり状で下端に前記溝部の係止部の上側に係止する爪部が形成された差し込み部を備え、この差し込み部の上端に前記溝部の上端の凹部に嵌入する凸部が形成されており、互いに連結される一方のブロックの端部のメインバー部と他方のブロックの端部のメインバー部とを近接させ、このメインバー部間における長さ方向適所間にジョイント部材を位置させ、ジョイント部材の差し込み部を前記溝部より空間部に差し込むことにより差し込み部の爪部がメインバー部の溝部の係止部の上側に係止してブロック間を繋ぐようにしたことを特徴とする。
【発明の効果】
【０００６】
以上のように、本発明のグレーチングは、多数の連結部材とエンドキャップを用いて接続するような作業を必要とせず、隣り合うブロック間をジョイント部材を用いて容易に組み立てできて安価な合成樹脂製のグレーチングを提供することができる。
【発明を実施するための最良の形態】
【０００７】
以下、本発明の一実施の形態を、図１〜図７を用いて具体的に説明する。
図において、１は複数本、具体的には５本前後の互いに平行な断面形状ほぼ逆Ｙ型で上端に水平部２を備えるメインバー部３が等間隔おきに並んで連結部４によって繋がるように合成樹脂を材料に用いて押し出し成形により作られたブロックである。このブロック１は前記メインバー部３，３間を繋ぐ細幅の連結部４がメインバー部３の下端部でメインバー部３の長さ方向両端部間に亘って存在し、この連結部４の途中複数箇所に水抜き孔５が打ち抜きにより形成されている。ブロック１の各メインバー部３の下端の幅方向中央にはメインバー部３の長さ方向全長に亘って溝部６が形成されている。この溝部６は逆Ｙの下半分の逆Ｖの位置に形成され、断面形状において下端に両側で内側に水平に張り出す係止部７，７と、この係止部７，７の上側で係止部７，７間の間隔よりも大きな幅を持つ空間部８と、この空間部８の上端に形成された円弧状の小さな凹部９とを備えている。
【０００８】
１０は前記ブロック１とブロック１とを繋ぐためのジョイント部材で、互いに繋がれるブロック１，１の端部に位置するメインバー部３，３同士を近接させ、このメインバー部３，３間における長さ方向両端近傍部間にジョイント部材１０を位置させ、ジョイント部材１０を前記溝部６に差し込むことによりブロック１，１間を繋ぐようになっている。詳しくは、このジョイント部材１０は正面形状が凵状を呈し、両側の立ち上がり部の上下方向中間部より上側に上端窄まり状で下端に前記溝部６の係止部７，７の上側に係止する爪部１１，１１が形成された差し込み部１２を備え、この差し込み部１２の上端に前記溝部６の上端の凹部９に嵌入する凸部１３が形成されている。このジョイント部材１０はアルミニウムなどの金属あるいは合成樹脂を材料に用いて作られている。
【０００９】
なお、前記メインバー部３の上端の水平部２の上面には長さ方向に沿って凸条部１４が形成されている。
上記構成において、多数のブロック１を繋いでグレーチングを形成する場合は、互いに連結される一方のブロック１の端部のメインバー部３と他方のブロック１の端部のメインバー部３とを近接させ、このメインバー部３，３間における長さ方向両端近傍部間にジョイント部材１０を位置させ、ジョイント部材１０の差し込み部１２をメインバー部３の前記溝部６に差し込むことにより差し込み部１２の爪部１１，１１が溝部６を乗り越えて溝部６の係止部７，７の上側に係止してブロック１，１間を繋ぐことができ、この作業を繰り返すことによりグレーチングを形成することができるものである。
【図面の簡単な説明】
【００１０】
【図１】本発明の一実施の形態におけるブロックの正面図である。
【図２】同ブロックの平面図である。
【図３】同ジョイント部材の斜視図である。
【図４】同ジョイント部材の正面図である。
【図５】同ジョイント部材により多数のブロックを繋いだ状態を示す平面図である。
【図６】同ジョイント部材により多数のブロックを繋いだ状態を示す正面図である。
【図７】図６の要部拡大図である。
【符号の説明】
【００１１】
１    ブロック
２    水平部
３    メインバー部
４    連結部
６    溝部
７    係止部
８    空間部
９    凹部
１０    ジョイント部材
１１    爪部
１２    差し込み部
１３    凸部
【図１】
2006322210.tif 000003
【図２】
2006322210.tif 000004
【図３】
2006322210.tif 000005
【図４】
2006322210.tif 000006
【図５】
2006322210.tif 000007
【図６】
2006322210.tif 000008
【図７】
2006322210.tif 000009